(57)【要約】【課題】受電装置に給電する場合における通信装置に対する影響を抑制すること。【解決手段】受電装置は、給電装置から出力された送信波を受電する受電部と、通信装置と近接通信する第１通信部と、前記給電装置と通信する第２通信部と、前記第１通信部が前記通信装置の近接を検出している場合に、前記送信波の出力を前記給電装置に開始させないように、前記第２通信部が行う前記給電装置との通信を制御する制御部と、を備える。【選択図】図３
2019022307.tif 000002
【特許請求の範囲】
【請求項１】
給電装置から出力された送信波を受電する受電部と、
通信装置と近接通信する第１通信部と、
前記給電装置と通信する第２通信部と、
前記第１通信部が前記通信装置の近接を検出している場合に、前記送信波の出力を前記給電装置に開始させないように、前記第２通信部が行う前記給電装置との通信を制御する制御部と、
を備える、受電装置。
【請求項２】
前記受電部は、前記給電装置から、所定の給電用周波数を有する送信波を受電し、
前記第１通信部は、前記所定の給電用周波数と同じ周波数、または前記所定の給電用周波数を逓倍した通信用周波数の信号を利用して、前記通信装置と近接通信を行う、
請求項１に記載の受電装置。
【請求項３】
前記制御部は、前記第２通信部を用いて前記給電装置から要求を受け付けた場合に、前記第１通信部を用いて前記通信装置の近接の検出を開始する、
請求項１または２に記載の受電装置。
【請求項４】
前記制御部は、前記給電装置から前記要求を受け付けていない場合に前記第１通信部の動作状態を停止状態に維持し、前記給電装置から前記要求を受け付けた場合に前記第１通信部の動作状態を前記停止状態から起動状態に遷移させることで前記通信装置の近接の検出を開始する、
請求項３に記載の受電装置。
【請求項５】
前記制御部は、前記第１通信部が前記通信装置の近接を検出していない場合に、前記第２通信部を用いて許可情報を前記給電装置に送信することで、前記自装置に対する給電を前記給電装置に開始させる、
請求項３または４に記載の受電装置。
【請求項６】
提示部を更に備え、
前記制御部は、前記第１通信部が前記通信装置の近接を検出している場合に、前記提示部を用いて、前記通信装置の存在に関する情報を報知する、
請求項３または４に記載の受電装置。
【請求項７】
前記制御部は、前記受電部が受電する送信波の状態の変化を検出したときに、前記第１通信部を用いて前記通信装置の近接の検出を開始する、
請求項１または２に記載の受電装置。
【請求項８】
前記制御部は、前記第２通信部が前記給電装置から要求を受け付ける前に、前記第１通信部を用いて前記通信装置の近接の検出を開始する、
請求項３に記載の受電装置。
【請求項９】
前記通信装置は、前記第１通信部により読み取り可能な情報を記憶する記憶部を有するカード型媒体である、
請求項１から８のうちいずれか１項に記載の受電装置。
【請求項１０】
二次電池を更に備え、
前記制御部は、前記受電部を用いて受電した電力を前記二次電池に充電する、
請求項１から９のうちいずれか１項に記載の受電装置。
【請求項１１】
通信装置と近接通信する第１通信部により前記通信装置の近接の検出を開始し、
前記第１通信部が前記通信装置の近接を検出している場合に、給電装置から出力された送信波の出力を給電装置に開始させないように、前記給電装置と通信する第２通信部が行う前記給電装置との通信を制御する、
受電方法。
【請求項１２】
通信装置のコンピュータに、
前記通信装置と近接通信する第１通信部により前記通信装置の近接の検出を開始させ、
前記第１通信部が前記通信装置の近接を検出している場合に、給電装置から出力された送信波の出力を給電装置に開始させないように、前記給電装置と通信する第２通信部が行う前記給電装置との通信を制御させる、
処理を実行させる、受電プログラム。
【請求項１３】
給電装置から出力された送信波を受電する受電部と、通信装置と近接通信する第１通信部と、前記給電装置と通信する第２通信部と、前記第１通信部が前記通信装置の近接を検出している場合に、前記送信波の出力を前記給電装置に開始させないように、前記第２通信部が行う前記給電装置との通信を制御する受電制御部と、を備える、受電装置と、
前記所定の給電用周波数を有する送信波を送信する給電部と、前記第２通信部と通信を行う第３通信部と、前記第３通信部により受信した情報に基づいて、前記給電部による給電の開始を制御する給電制御部と、を備える給電装置と、
を備える、非接触給電システム。
【請求項１４】
受電装置が、通信装置と近接通信する第１通信部により前記通信装置の近接の検出を開始し、
前記第１通信部が前記通信装置の近接を検出している場合に、前記受電装置が、送信波の出力を開始させないための情報を、前記給電装置に送信し、
前記給電装置が、前記受電装置から受信した情報に基づいて、給電部による給電の開始を制御する、
非接触給電方法。
【発明の詳細な説明】
【技術分野】
【０００１】
本発明の一態様は、受電装置、受電方法、受電プログラム、非接触給電システム、および非接触給電方法に関する。
【背景技術】
【０００２】
ＮＦＣ（Ｎｅａｒ  Ｆｉｅｌｄ  ｒａｄｉｏ  Ｃｏｍｍｕｎｉｃａｔｉｏｎ）などによる近距離無線通信の機能を備えた通信装置が知られている。また、二次電池を非接触で充電する機能を備えた通信装置が知られている。これらの機能を備えた通信装置として、例えば、特許文献１に記載された通信装置は、通信コイルにおける端子電圧が所定の給電しきい値電圧を超えた場合に、通信コイルとＮＦＣチップとを導通させることで、ＮＦＣチップを作動させる。また、この通信装置は、通信コイルの端子電圧が給電しきい値電圧を超過しない場合、二次電池とＮＦＣチップを導通させることで、ＮＦＣチップを作動させる。さらに、この通信装置は、二次電池の充電期間中に、所定の給電しきい値よりも高い充電しきい値を超えた場合に、通信コイルおよび二次電池と、ＮＦＣチップとの導通を遮断する。
【先行技術文献】
【特許文献】
【０００３】
【特許文献１】特開２０１４−３３５０４号公報
【発明の概要】
【発明が解決しようとする課題】
【０００４】
しかしながら、例えば、通信装置と、ＮＦＣを利用して通信可能なカード型通信装置とを同じケースに収容している場合などにおいて、通信装置に内蔵された二次電池を給電装置により充電する場合に、給電装置からカード型通信装置に充電用の送信波が供給されてしまう可能性がある。給電装置からカード型通信装置に充電用の送信波が供給された場合、カード型通信装置に内蔵されたＮＦＣ回路に高い電圧が印加されてしまい、カード型通信装置が故障する虞がある。
【０００５】
本発明の一態様は、上記の課題に基づいてなされたものであり、受電装置に給電する場合における通信装置に対する影響を抑制することができる、受電装置、受電方法、受電プログラム、非接触給電システム、および非接触給電方法を提供することを目的としている。
【課題を解決するための手段】
【０００６】
上記の課題を解決するため、本発明の一態様の受電装置は、給電装置から出力された送信波を受電する受電部と、通信装置と近接通信する第１通信部と、前記給電装置と通信する第２通信部と、前記第１通信部が前記通信装置の近接を検出している場合に、前記送信波の出力を前記給電装置に開始させないように、前記第２通信部が行う前記給電装置との通信を制御する制御部と、を備える。
【０００７】
本発明の一態様は、上記の受電装置において、前記受電部は、前記給電装置から、所定の給電用周波数を有する送信波を受電し、前記第１通信部は、前記所定の給電用周波数と同じ周波数、または前記所定の給電用周波数を逓倍した通信用周波数の信号を利用して、前記通信装置と近接通信を行ってよい。
【０００８】
本発明の一態様は、上記の受電装置において、前記制御部は、前記第２通信部を用いて前記給電装置から要求を受け付けた場合に、前記第１通信部を用いて前記通信装置の近接の検出を開始してよい。
【０００９】
本発明の一態様は、上記の受電装置において、前記制御部は、前記給電装置から前記要求を受け付けていない場合に前記第１通信部の動作状態を停止状態に維持し、前記給電装置から前記要求を受け付けた場合に前記第１通信部の動作状態を前記停止状態から起動状態に遷移させることで前記通信装置の近接の検出を開始してよい。
【００１０】
本発明の一態様は、上記の受電装置において、前記制御部は、前記第１通信部が前記通信装置の近接を検出していない場合に、前記第２通信部を用いて許可情報を前記給電装置に送信することで、前記自装置に対する給電を前記給電装置に開始させてよい。
【００１１】
本発明の一態様は、上記の受電装置において、提示部を更に備え、前記制御部は、前記第１通信部が前記通信装置の近接を検出している場合に、前記提示部を用いて、前記通信装置の存在に関する情報を報知してよい。
【００１２】
本発明の一態様は、上記の受電装置において、前記制御部は、前記受電部が受電する送信波の状態の変化を検出したときに、前記第１通信部を用いて前記通信装置の近接の検出を開始してよい。
【００１３】
本発明の一態様は、上記の受電装置において、前記制御部は、前記第２通信部が前記給電装置から要求を受け付ける前に、前記第１通信部を用いて前記通信装置の近接の検出を開始してよい。
【００１４】
本発明の一態様は、上記の受電装置において、前記通信装置は、前記第１通信部により読み取り可能な情報を記憶する記憶部を有するカード型媒体であってよい。
【００１５】
本発明の一態様は、上記の受電装置において、二次電池を更に備え、前記制御部は、前記受電部を用いて受電した電力を前記二次電池に充電してよい。
【００１６】
上記の課題を解決するため、本発明の一態様の受電方法は、通信装置と近接通信する第１通信部により前記通信装置の近接の検出を開始し、前記第１通信部が前記通信装置の近接を検出している場合に、給電装置から出力された送信波の出力を給電装置に開始させないように、前記給電装置と通信する第２通信部が行う前記給電装置との通信を制御する。
【００１７】
上記の課題を解決するため、本発明の一態様の受電プログラムは、通信装置のコンピュータに、前記通信装置と近接通信する第１通信部により前記通信装置の近接の検出を開始させ、前記第１通信部が前記通信装置の近接を検出している場合に、給電装置から出力された送信波の出力を給電装置に開始させないように、前記給電装置と通信する第２通信部が行う前記給電装置との通信を制御させる、処理を実行させる。
【００１８】
上記の課題を解決するため、本発明の一態様の非接触給電システムは、給電装置から出力された送信波を受電する受電部と、通信装置と近接通信する第１通信部と、前記給電装置と通信する第２通信部と、前記第１通信部が前記通信装置の近接を検出している場合に、前記送信波の出力を前記給電装置に開始させないように、前記第２通信部が行う前記給電装置との通信を制御する受電制御部と、を備える、受電装置と、前記所定の給電用周波数を有する送信波を送信する給電部と、前記第２通信部と通信を行う第３通信部と、前記第３通信部により受信した情報に基づいて、前記給電部による給電の開始を制御する給電制御部と、を備える給電装置と、を備える。
【００１９】
上記の課題を解決するため、本発明の一態様の非接触給電方法は、上記の通信装置に、受電装置が、通信装置と近接通信する第１通信部により前記通信装置の近接の検出を開始し、前記第１通信部が前記通信装置の近接を検出している場合に、受電装置が、送信波の出力を開始させないための情報を、前記給電装置に送信し、前記給電装置が、前記受電装置から受信した情報に基づいて、給電部による給電の開始を制御する。
【発明の効果】
【００２０】
本発明の一態様によれば、受電装置に給電する場合における通信装置に対する影響を抑制することができる。
【図面の簡単な説明】
【００２１】
【図１】第１の実施形態における非接触給電システムの構成一例を示すシステム構成図である。
【図２】第１の実施形態における非接触給電システムを使用したときの一例を示す説明図である。
【図３】第１の実施形態におけるＮＦＣ端末、ＮＦＣカード、および給電装置の機能構成の一例を示すブロック図である。
【図４】第１の実施形態における充電時のＮＦＣ端末および給電装置の動作の一例を示すフローチャートである。
【図５】第２の実施形態におけるＮＦＣ端末、ＮＦＣカード、および給電装置の機能構成の一例を示すブロック図である。
【図６】第２の実施形態における充電時のＮＦＣ端末の動作の一例を示すフローチャートである。
【図７】第３の実施形態における充電時のＮＦＣ端末の動作の一例を示すフローチャートである。
【図８】変形例の非接触給電システムにおける充電時のＮＦＣ端末の動作の一例を示すフローチャートである。
【発明を実施するための形態】
【００２２】
以下、本発明の一態様を適用した受電装置、受電方法、受電プログラム、非接触給電システム、および非接触給電方法を、図面を参照して説明する。
【００２３】
（第１の実施形態）
図１は、第１の実施形態における非接触給電システム１の一例を示す上面図である。図２は、第１の実施形態における非接触給電システム１の一例を示す側面図である。非接触給電システム１は、例えば、ＮＦＣ（Ｎｅａｒ  Ｆｉｅｌｄ  ｒａｄｉｏ  Ｃｏｍｍｕｎｉｃａｔｉｏｎ）端末１００と、ＮＦＣカード２００と、給電装置３００とを備える。
【００２４】
ＮＦＣ端末１００、ＮＦＣカード２００、および給電装置３００が無線通信を行うための通信規格は、給電装置３００が非接触で電力を給電することができる範囲よりも広い範囲で無線通信を実現する通信規格である。具体的には、給電装置３００が無線通信を行う際の通信規格は、例えば、ブルートゥース（Ｂｌｕｅｔｏｏｔｈ（登録商標））などの短距離無線通信規格や、Ｗｉ−Ｆｉ（登録商標）（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）を利用した無線通信規格である。なお、本実施形態においては、給電装置３００がＮＦＣ端末１００との間で無線通信を行うための構成や制御方法、無線通信の規格や通信方法に関しては、特に規定しない。
【００２５】
第１実施形態の非接触給電システム１において、ＮＦＣ端末１００は、ＮＦＣカード２００および給電装置３００との間で情報の通信を行うことができる。また、ＮＦＣ端末１００は、給電装置３００から給電された電力を利用して、ＮＦＣ端末１００に内蔵された二次電池を充電することができる。ＮＦＣ端末１００とＮＦＣカード２００とは、所定の周波数の送信波を使用して近距離無線通信を行う。以下、所定の周波数を、所定の通信用周波数と記載する。所定の通信用周波数は、例えば、１３．５６ＭＨｚである。また、ＮＦＣ端末１００および給電装置３００は、ＮＦＣ端末１００の充電のため、所定の通信用周波数と同じ周波数、または所定の通信用周波数を逓倍した周波数の送信波を利用する。これにより、給電装置３００は、ＮＦＣ端末１００に給電を行うことができる。以下、給電のための送信波の周波数を給電用周波数と記載する。
【００２６】
しかしながら、給電装置３００からＮＦＣ端末１００に電力を給電する場合に給電装置３００とＮＦＣカード２００とが近接していると、ＮＦＣカード２００に不具合を与える可能性がある。以下、具体的な場面について説明する。ＮＦＣ端末１００およびＮＦＣカード２００のそれぞれは、図１に示すように、例えば、スマートフォンケースなどのケース１０に収容される。ケース１０は、図１におけるＹ方向における略中央部分において折りたたむことができる。ケース１０が折りたたまれた場合において、ＮＦＣ端末１００とＮＦＣカード２００とは近接した状態になる。この状態において、図２に示すように、ケース１０が給電装置３００に載置された場合、ＮＦＣ端末１００のみならず、ＮＦＣカード２００も、給電装置３００に近接することになる。
【００２７】
そこで、実施形態の非接触給電システム１は、ＮＦＣ端末１００がＮＦＣカード２００の近接を検出していない場合に、ＮＦＣ端末１００に対する給電を給電装置３００に開始させる。一方、非接触給電システム１は、ＮＦＣ端末１００がＮＦＣカード２００の近接を検出している場合に、送信波の出力を送電装置３００に開始させないように、送電装置３００との通信を制御する。すなわち、非接触給電システム１は、ＮＦＣ端末１００がＮＦＣカード２００の近接を検出している場合に、ＮＦＣ端末１００に対する給電を給電装置３００に開始させないように制御を行う。これにより、非接触給電システム１は、給電装置３００からＮＦＣ端末１００に給電する場合における他の通信装置としてのＮＦＣカード２００に対する影響を抑制することができるものである。以下、各実施形態について説明する。
【００２８】
図３は、第１の実施形態におけるＮＦＣ端末１００、ＮＦＣカード２００、および給電装置３００の機能的な構成の一例を示すブロック図である。
【００２９】
ＮＦＣ端末１００は、例えば、携帯電話の機能と携帯情報端末（ＰＤＡ：Ｐｅｒｓｏｎａｌ  Ｄｉｇｉｔａｌ  Ａｓｓｉｓｔａｎｔ）の機能を併せ持つスマートフォンであるが、これには限定されない。ＮＦＣ端末１００は、既存の移動体通信網を利用した携帯電話、携帯情報端末、タブレット端末であってもよい。なお、ＮＦＣ端末１００は、受電した電力を使用して様々な機能を実現する端末装置の一部として構成されてもよい。例えば、ＮＦＣ端末１００は、パーソナルコンピュータ（ＰＣ）、などに備えられてもよい。
【００３０】
ＮＦＣ端末１００は、例えば、受電コイル１０２と、受電処理部１０４と、受電側通信部１０６と、ＮＦＣリーダライタ１０８と、二次電池１１０と、スピーカ１１２と、ＬＥＤ（Light  Emitting  Diode）１１４と、ディスプレイ１１６と、受電側制御部１１８とを備える。
【００３１】
受電コイル１０２は、給電装置３００から給電された電力を受電する受電部である。具体的に、受電コイル１０２は、所定の給電用周波数において共振する共振コンデンサ（不図示）を並列に接続した共振回路を備える。受電コイル１０２は、当該共振コンデンサの両端に生じた電力を、受電した電力として受電処理部１０４に供給する。具体的な動作を述べる。給電装置３００における給電コイル３０２によって発生させた磁界の中にＮＦＣ端末１００が存在する場合、受電コイル１０２には、給電装置３００が給電した電力に応じて強さが変動する磁界が印加される。受電コイル１０２には、受電処理部１０４に、印加された磁界の強さの変動に基づいて、電磁誘導により、誘導電流が発生する。受電コイル１０２は、発生した誘導電流を、給電装置３００が給電した電力として受電する。受電コイル１０２は、受電した電力を、受電処理部１０４に供給する。
【００３２】
受電処理部１０４は、例えば、受電コイル１０２から供給された電力における電流を整流する整流回路と、整流回路によって整流された電力における電圧を略一定に調整する定電圧回路と備える。整流回路および定電圧回路は、受電コイル１０２から供給された電力を調整する電力調整部として機能する。受電処理部１０４は、調整された電力を、受電側制御部１１８に供給する。
【００３３】
受電側通信部１０６は、無線通信によって情報を送受信する通信インターフェースである。受電側通信部１０６は、給電装置３００との間で無線通信を行う際に無線信号を送出するアンテナとして、通信用のアンテナを用いてもよいし、受電コイル１０２を通信用のアンテナとして機能させてもよい。
【００３４】
ＮＦＣリーダライタ１０８は、例えば、ＮＦＣコイル１０８ａと、ＮＦＣ回路１０８ｂとを備える。
【００３５】
ＮＦＣコイル１０８ａは、所定の通信用周波数において共振する共振コンデンサ（不図示）を並列に接続した共振回路を備える。ＮＦＣコイル１０８ａは、ＮＦＣ端末１００がＮＦＣカード２００との間でＮＦＣ通信を行う際のアンテナとして機能する。なお、ＮＦＣ通信は近接通信と言い換えることもできる。ＮＦＣコイル１０８ａは、ＮＦＣ端末１００が存在する領域における磁界の強さに応じた誘導電流を発生する。また、ＮＦＣコイル１０８ａは、ＮＦＣ回路１０８ｂから信号が供給されたことに応じて、当該信号に対応する磁界を発生させる。
【００３６】
ＮＦＣ回路１０８ｂは、ＮＦＣカード２００との間でＮＦＣ通信を行う通信インターフェース回路（近距離無線通信の通信回路）である。ＮＦＣ回路１０８ｂは、例えば、ＮＦＣコイル１０８ａが受電した電力を使用して動作する。ＮＦＣ回路１０８ｂは、ＮＦＣカード２００から受信した電波に基づく信号に所定の信号処理を施して受電側制御部１１８に供給する。ＮＦＣ回路１０８ｂは、受電側制御部１１８から供給された送信信号に所定の信号処理を施してＮＦＣコイル１０８ａに供給する。なお、本実施形態においては、ＮＦＣ回路１０８ｂにおけるＮＦＣカード２００との間のＮＦＣ通信において送受信する情報やデータなどの形式や通信方法および信号処理に関しては、特に限定しない。
【００３７】
なお、ＮＦＣ端末１００は、受電コイル１０２をＮＦＣ用のコイルとして機能させてもよい。この場合、ＮＦＣ端末１００は、ＮＦＣコイル１０８ａを備えていなくてよい。ＮＦＣ回路１０８ｂは、ＮＦＣカード２００により送信された電波を受電コイル１０２において受信した場合、当該受信した電波に基づく信号に所定の信号処理を施す。ＮＦＣ回路１０８ｂは、ＮＦＣ通信により情報を送信する場合、受電側制御部１１８から供給された送信信号に所定の信号処理を施して受電コイル１０２に供給する。
【００３８】
二次電池１１０は、充電式の電池（バッテリ）である。二次電池１１０は、例えば、リチウムイオン二次電池、ニッケル水素蓄電池、ニッケルカドミウム蓄電池などである。二次電池１１０は、受電側制御部１１８の制御に基づいて、給電装置３００から給電された電力を充電する。二次電池１１０に充電された電力は、例えば、ＮＦＣ端末１００に備えたそれぞれの構成要素の電源として供給される。
【００３９】
スピーカ１１２は、受電側制御部１１８の制御に基づいて音を放音する。ＬＥＤ１１４は、例えば、二次電池１１０におけるディスプレイ１１６の設置面から見ることが可能な光源である。ディスプレイ１１６は、ＬＣＤ（Liquid  Crystal  Display）や有機ＥＬ（Electroluminescence）を用いた表示装置などである。
【００４０】
受電側制御部１１８は、例えばＣＰＵ（Central  Processing  Unit）等の１つ以上のプロセッサが１つ以上のプログラムメモリに格納されたプログラムを実行することにより実現される。また、給電側制御部３０６のうち一部または全部は、ＬＳＩ（Large  Scale  Integration）、ＡＳＩＣ（Application  Specific  Integrated  Circuit）、またはＦＰＧＡ（Field-Programmable  Gate  Array）等のハードウェアにより実現されてもよいし、ソフトウェアとハードウェアが協働することで実現されてもよい。
【００４１】
受電側制御部１１８は、受電処理部１０４から供給された電力を二次電池１１０に充電する。また、受電側制御部１１８は、受電側通信部１０６を用いて給電装置３００との間で通信を行う。受電側制御部１１８は、給電装置３００との間で通信を行うことで、二次電池１１０への充電の開始タイミングおよび充電の終了タイミングを制御する。さらに、受電側制御部１１８は、ＮＦＣリーダライタ１０８を用いて、ＮＦＣカード２００に記憶された情報をリードする。受電側制御部１１８は、ＮＦＣリーダライタ１０８を用いて、ＮＦＣカード２００に情報をライトする。さらに、受電側制御部１１８は、スピーカ１１２、ＬＥＤ１１４、およびディスプレイ１１６を用いて、ＮＦＣ端末１００のユーザに各種の情報を提示する。
【００４２】
ＮＦＣカード２００は、例えば、交通系のＩＣカードである。ＮＦＣカード２００は、例えば、ＮＦＣコイル２１０と、ＮＦＣ回路２１２と、記憶部２１４とを備える。ＮＦＣコイル２１０、ＮＦＣ回路２１２、および記憶部２１４は、例えば、樹脂材料などの基材に埋め込まれたアンテナおよびパッシブタイプのＩＣチップにより構成される。なお、本実施形態では、ＮＦＣ端末１００と通信する通信装置としてＮＦＣカード２００を説明委するが、外部から給電された電力により起動するものであれば、これに限定されず、例えば、ＩＣカードであってよい。
【００４３】
ＮＦＣコイル２１０は、所定の通信用周波数において共振する共振コンデンサ（不図示）を並列に接続した共振回路を備える。ＮＦＣコイル２１０は、ＮＦＣカード２００がＮＦＣ端末１００との間でＮＦＣ通信を行う際のアンテナとして機能する。ＮＦＣコイル２１０は、ＮＦＣカード２００が存在する領域における磁界の強さに応じた誘導電流を発生する。また、ＮＦＣコイル２１０は、ＮＦＣ回路２１２から信号が供給されたことに応じて、当該信号に対応する磁界を発生させる。
【００４４】
ＮＦＣ回路２１２は、ＮＦＣ端末１００との間でＮＦＣ通信を行う通信インターフェース回路（近距離無線通信の通信回路）である。ＮＦＣ回路２１２は、例えば、ＮＦＣコイル２１０が受電した電力を使用して動作する。ＮＦＣ回路２１２は、記憶部２１４に対する情報のライト要求を受信した場合、ＮＦＣ端末１００から受信した電波に基づく信号に所定の信号処理を施し、所定の信号処理の結果としての情報を記憶部２１４に書き込む。ＮＦＣ回路２１２は、記憶部２１４に対する情報のリード要求を受信した場合、記憶部２１４から情報を読み出し、読み出した情報に対応する信号をＮＦＣコイル２１０に供給する。
【００４５】
記憶部２１４は、ＮＦＣ回路２１２により実行されるプログラムや、カードＩＤ、電子マネーのチャージ金額（入金金額）等がエンコードされて記憶されている。
【００４６】
なお、ＮＦＣコイル２２が電力を受電する対象の磁界は、不図示のＮＦＣ通信装置が発生させた磁界である。つまり、ＮＦＣコイル２２が電力を受電する対象の磁界は、二次電池２７を充電するために給電装置１０が不図示の給電コイルによって発生させる高い出力の電波を使用した磁界ではなく、不図示のＮＦＣ通信装置がＮＦＣ通信を行う際に必要な電力を給電するために発生させる低い出力の電波を使用した磁界である。ただし、ＮＦＣコイル２２の構成も、受電コイル２１の構成と同様であるため、ＮＦＣコイル２２においても、給電装置１０が給電した電力も受電する。
【００４７】
給電装置３００は、非接触で電力を給電するワイヤレス電力伝送装置である。給電装置３００は、例えば、受電した電力を使用する通信装置等に電力を給電する充電器、充電アダプター、充電パッドなどとして構成されてもよい。なお、本実施形態においては、給電装置３００が構成される形態に関しては、特に規定しない。
【００４８】
給電装置３００は、例えば、給電コイル３０２と、給電側通信部３０４と、給電側制御部３０６とを備える。給電コイル３０２は、二次電池１１０を充電するため、外部から供給された交流電力に応じて強さが変動する磁界を発生させる。給電コイル３０２により発生させる磁界は、所定の給電用周波数を持つ。さらに、給電コイル３０２により発生させる磁界は、給電装置３００とＮＦＣ端末１００とが通信するための磁界、およびＮＦＣ端末１００とＮＦＣカード２００とが通信するための磁界の大きさよりも大きい。
【００４９】
給電側通信部３０４は、無線通信によって情報を送受信する通信インターフェースである。給電側通信部３０４は、ＮＦＣ端末１００との間で無線通信を行う際に無線信号を送出するアンテナとして、通信用のアンテナを用いてもよいし、給電コイル３０２を通信用のアンテナとして機能させてもよい。
【００５０】
給電側通信部３０４は、給電装置３００が電力を給電しているか否かを表す情報を、ＮＦＣ端末１００に送信する。給電装置３００が電力を給電しているか否かを表す情報は、給電コイル３０２によって電力を給電するための磁界を発生させているか否かを表す情報に相当する。
【００５１】
給電側制御部３０６は、例えばＣＰＵ等の１つ以上のプロセッサが１つ以上のプログラムメモリに格納されたプログラムを実行することにより実現される。また、給電側制御部３０６のうち一部または全部は、ＬＳＩ、ＡＳＩＣ、またはＦＰＧＡ等のハードウェアにより実現されてもよいし、ソフトウェアとハードウェアが協働することで実現されてもよい。
【００５２】
給電側制御部３０６は、給電コイル３０２および給電側通信部３０４を制御する。特に、給電側制御部３０６は、給電装置３００の動作モードを、給電コイル３０２から電力を給電しない給電準備モードと、給電コイル３０２から電力を給電する電力給電モードとの間で切り替える。給電側制御部３０６は、電力給電モードにおいて、給電コイル３０２によって発生させた磁界の中にＮＦＣ端末１００が存在する場合、当該ＮＦＣ端末１００に電力を給電する。
【００５３】
なお、給電装置３００は、複数の通信装置等に対して同時に電力を給電する機能（能力）を備えていてもよい。
【００５４】
図４は、第１の実施形態における充電時のＮＦＣ端末１００および給電装置３００の動作の一例を示すフローチャートである。以下、上述した非接触給電システム１において、二次電池１１０を充電する場合におけるＮＦＣ端末１００および給電装置３００の動作を、図４を参照して説明する。なお、以下の説明において、充電制御プロトコルは、AirFuel  Alliance規格である場合について説明するが、これには限定されるものではない。また、以下の説明においては、給電側通信部３０４と、受電側通信部１０６とが、ブルートゥース（Ｂｌｕｅｔｏｏｔｈ（登録商標））の規格に属するＩＥＥＥ８０２．１５．１  バージョン４．０（ＢＬＥ：Ｂｌｕｅｔｏｏｔｈ（登録商標）  Ｌｏｗ  Ｅｎｅｒｇｙ）規格に準じた短距離無線通信（以下、「ＢＬＥ通信」という）を行うものとして説明する。
【００５５】
二次電池１１０の充電を開始するために、給電装置３００およびＮＦＣ端末１００が起動した状態で、ＮＦＣ端末１００が給電装置３００に載置された状態から本フローチャートの処理を開始するものとする。給電装置３００が起動している状態において、給電装置３００は、給電準備モードをオンに設定し、電力給電モードをオフに設定した状態になっている（ステップＳ２００）。AirFuel  Alliance規格のPTU  Power  StateにおけるPower-saveまたはLow  Powerは、給電準備モードの一例である。AirFuel  Alliance規格のPTU  Power  StateにおけるPower  Transferは、電力給電モードの一例である。ＮＦＣ端末１００が起動した状態において、ＮＦＣリーダライタ１０８は、消費電力の低減のため、起動していないオフ状態となっている（ステップＳ１００）。
【００５６】
ＮＦＣ端末１００は、受電側通信部１０６によりＢＬＥ通信を行うことで、給電装置３００からＮＦＣ端末１００に対する通信をモニタする。ＮＦＣ端末１００は、通信をモニタした結果に基づいて、接続要求を受信したか否かを判定する（ステップＳ１０２）。接続要求を受信したか否かを判定する処理は、ＮＦＣ端末１００が給電装置３００を検出する処理の一例である。AirFuel  Alliance規格におけるconnection  requestは、接続要求の一例である。また、接続要求は、connection  requestに代えて、AirFuel  Alliance規格におけるPower  beaconであってよい。ＮＦＣ端末１００は、接続要求を受信していない場合（ステップＳ１０２：ＮＯ）、本フローチャートの処理を終了する。
【００５７】
給電装置３００が接続要求を送信したことに応じて（ステップＳ２０２）、ＮＦＣ端末１００は、接続要求を受信した場合、給電装置３００から接続要求を受信したことを判定する（ステップＳ１０２：ＹＥＳ）。
【００５８】
次に、ＮＦＣ端末１００は、ＮＦＣリーダライタ１０８をオフ状態からオン状態に遷移させる（ステップＳ１０４）。次に、ＮＦＣ端末１００は、ＮＦＣカード２００の近接の検出を開始し（ステップＳ１０６）、当該ＮＦＣ端末１００にＮＦＣカード２００に近接しているか否かを判定する（ステップＳ１０８）。ＮＦＣ端末１００に近接しているとは、例えば、ＮＦＣリーダライタ１０８が発生する磁界が届く範囲内に位置していると言い換えることもできる。ＮＦＣ端末１００に近接しているとは、ＮＦＣカード２００がＮＦＣ端末１００の問い合わせに対して応答することができる距離であると言い換えることもできる。
【００５９】
ＮＦＣ端末１００は、ＮＦＣ端末１００にＮＦＣカード２００が近接していない場合（ステップＳ１０８：ＮＯ）、給電許可情報を送信する（ステップＳ１１０）。給電許可情報は、給電装置３００からＮＦＣ端末１００に対して電力の給電を許可することを表す情報である。給電許可情報は、給電装置３００の給電準備モードをオンからオフに遷移させると共に、電力給電モードをオフからオンに遷移させるための情報と言い換えることもできる。AirFuel  Alliance規格において、給電装置３００に給電を許可することを示すPRU dynamic  parameter、またはPRU  state  parameterは、給電許可情報の一例である。なお、ステップＳ１０２においてＮＦＣ端末１００が接続要求としてPower  beaconを受信することとした場合、給電許可情報は、給電装置３００に給電を許可することを示すPRU  advertisement  parameterであってよい。また、ＮＦＣ端末１００は、例えば、PRU  dynamic  parameterにより給電を許可する場合、”read  PRU  dynamic  parameter”なるコマンドにより通知を行う。なお、本実施形態のように、PRU  dynamic  parameterなどにより給電装置３００の給電を許可するが、これに限定されず、給電装置３００の電力給電モードをオンにさせない制御であればどのような制御方式であってもよい。
【００６０】
なお、ＮＦＣ端末１００は、給電許可情報を送信する前に、ＮＦＣコイル１０８ａとＮＦＣ回路１０８ｂとの間の通電を遮断してよい。この場合、例えば、ＮＦＣリーダライタ１０８は、ＮＦＣコイル１０８ａとＮＦＣ回路１０８ｂとの間に開閉スイッチを備える。受電側制御部１１８は、開閉スイッチにおける接点をオープン状態、すなわちＮＦＣコイル１０８ａとＮＦＣ回路１０８ｂとの導通状態を遮断状態に制御した後、受電側通信部１０６を用いて給電許可情報を送信する。これにより、ＮＦＣ端末１００は、給電許可情報に応じて送電装置３００から電力が送電されたことに起因するＮＦＣリーダライタ１０８の影響を抑制することができる。
【００６１】
ＮＦＣ端末１００は、ＮＦＣ端末１００にＮＦＣカード２００が近接している場合（ステップＳ１０８：ＹＥＳ）、ＮＦＣカード２００の除去を通知する（ステップＳ１１２）。ＮＦＣ端末１００は、例えば、スピーカ１１２から警告音を放音することや、ＬＥＤ１１４を点滅させることや、ディスプレイ１１６を用いてメッセージを表示することで、ＮＦＣカード２００の除去を通知する。ＮＦＣ端末１００は、スピーカ１１２、ＬＥＤ１１４、ディスプレイ１１６の少なくとも一つを動作させてもよく、さらに、スピーカ１１２、ＬＥＤ１１４、およびディスプレイ１１６を任意に組み合わせて動作させてもよく、ＮＦＣ端末１００における他の手段を用いてＮＦＣカード２００の除去を通知してよい。ＮＦＣ端末１００がＮＦＣカード２００の除去を通知することで、例えば、ＮＦＣカード２００がケース１０から取りはずされた場合、ＮＦＣ端末１００にＮＦＣカード２００が近接していないと判定することができる（ステップＳ１０８：ＮＯ）。
【００６２】
給電装置３００は、給電許可情報を受信していない場合（ステップＳ２０４：ＮＯ）、待機する。給電装置３００は、給電側通信部３０４を用いて給電許可情報を受信した場合（ステップＳ２０４：ＹＥＳ）、電力給電モードをオフからオンに遷移させ、給電準備モードをオンからオフに遷移させる（ステップＳ２０６）。次に給電装置３００は、給電制御情報をＮＦＣ端末１００に送信する（ステップＳ２０８）。これにより、送電装置３００は、ＮＦＣ端末１００から受信した情報に基づいて、送電コイル３０２による給電の開始を制御する。AirFuel  Alliance規格において、給電装置３００に給電を開始させることを示すPRU  controlは、給電制御情報の一例である。
【００６３】
給電装置３００は、電力給電モードをオンに遷移させ、且つ給電制御情報を送信した場合、給電コイル３０２を用いて電力の給電を開始する（ステップＳ２０８）。
【００６４】
ＮＦＣ端末１００は、給電許可情報を受信していない場合（ステップＳ１１４：ＮＯ）、待機する。ＮＦＣ端末１００は、給電許可情報を受信した場合（ステップＳ１１４：ＹＥＳ）、充電を開始する（ステップＳ１１６）。
【００６５】
ＮＦＣ端末１００は、充電を終了するか否かを判定する（ステップＳ１１８）。ＮＦＣ端末１００は、例えば、二次電池１１０の充電率が所定のしきい値を超えた場合、充電を終了すると判定する。ＮＦＣ端末１００は、充電を終了しない場合（ステップＳ１１８：ＮＯ）、待機する。ＮＦＣ端末１００は、充電を終了する場合（ステップＳ１１８：ＹＥＳ）、充電終了情報を給電装置３００に送信する（ステップＳ１２０）。AirFuel  Alliance規格において、電力給電モードをオンからオフにさせることを示すPRU  dynamic  parameterまたはPRU  alertは、充電終了情報の一例である。ＮＦＣ端末１００は、充電終了情報を送信した後、本フローチャートの処理を終了する。
【００６６】
給電装置３００は、充電終了情報を受信したことに応じて、電力給電モードをオンからオフに遷移させて（ステップＳ２１０）、本フローチャートの処理を終了する。
【００６７】
以上説明したように、第１の実施形態の非接触給電システム１によれば、ＮＦＣ端末１００が給電装置３００を検出している場合において、ＮＦＣ端末１００の近傍のＮＦＣカード２００を探索し、ＮＦＣカード２００の近接を検出していない場合に、給電を給電装置３００に開始させ、ＮＦＣカード２００の近接を検出している場合に、給電を給電装置３００に開始させない。これにより、非接触給電システム１によれば、給電装置３００からＮＦＣ端末１００に給電する場合におけるＮＦＣカード２００に対する影響を抑制することができる。具体的に、所定の通信周波数で通信を行うＮＦＣカード２００に、所定の通信周波数と同じ周波数または所定の通信周波数と逓倍の周波数を利用して給電装置３００からＮＦＣ端末１００に給電する場合に、当該給電されている電力により、ＮＦＣカード２００のＮＦＣ回路２１２が故障することを回避することができる。
【００６８】
また、第１の実施形態の非接触給電システム１によれば、受電側通信部１０６が給電側通信部３０４から接続要求を受信したことに応じてＮＦＣカード２００の探索を行うので、ＮＦＣカード２００の探索のために消費する電力を抑制することができる。
【００６９】
さらに、第１の実施形態の非接触給電システム１によれば、ＮＦＣ端末１００がＮＦＣカード２００の近接を検出していない場合に、給電許可情報を給電装置３００に送信することで、給電を給電装置３００に開始させるので、ＮＦＣカード２００の故障をさらに抑制することができる。
【００７０】
さらに、第１の実施形態の非接触給電システム１によれば、ＮＦＣ端末１００がＮＦＣカード２００の近接を検出している場合に、ＮＦＣカード２００の存在に関する情報として、ＮＦＣカード２００の存在や、ＮＦＣカード２００をケース１０の近くから除去することや、ＮＦＣ端末１００とＮＦＣカード２００とが近接していることなどを報知することができる。これにより、非接触給電システム１によれば、ＮＦＣカード２００の故障をさらに抑制することができる。さらに、非接触給電システム１によれば、ＮＦＣ端末１００を給電装置３００により充電するための利便性を向上させることができる。
【００７１】
（第２の実施形態）
以下、第２の実施形態について説明する。なお、第１の実施形態と同じ部分については同一符号を付することにより詳細な説明を省略する。図５は、第２の実施形態におけるＮＦＣ端末１００Ａ、ＮＦＣカード２００、および給電装置３００Ａの機能的な構成の一例を示すブロック図である。
【００７２】
第２の実施形態の非接触給電システム１Ａは、受電コイル１０２が受電する送信波の状態の変化を検出したときに、ＮＦＣリーダライタ１０８を用いてＮＦＣカード２００の近接の検出を開始する点で、第１の実施形態の非接触給電システム１とは異なる。以下、この点を中心に説明する。受電コイル１０２により受電している送信波の状態は、例えば、電力の電圧波形または電流波形の状態、電力の電圧波形または電流波形に基づいて変化するインピーダンスである。受電側制御部１１８Ａは、受電処理部１０４から供給された電力の状態を、受電コイル１０２により受電している送信波の状態として認識する。受電側制御部１１８Ａは、認識した送信波の状態の変化を検出する。
【００７３】
図６は、第２の実施形態における充電時のＮＦＣ端末１００Ａおよびの動作の一例を示すフローチャートである。ＮＦＣ端末１００Ａは、ＮＦＣリーダライタ１０８の状態をオフ状態としている場合において（ステップＳ１００）、送信波の受信状態の変化を検出する（ステップＳ１０２＃）。ＮＦＣ端末１００Ａは、例えば、受電処理部１０４から供給されている電力の電圧値が所定のしきい値を超えた場合、送信波の受信状態が変化したことを判定する。また、ＮＦＣ端末１００Ａは、整流回路におけるインピーダンスの変化が所定のしきい値を超えた場合、送信波の受信状態が変化したことを判定してよい。AirFuel  Alliance規格において、給電装置３００Ａから送出されたPower  beaconを受信した時における電力の電圧変化や、インピーダンス変化が、送信波の受信状態が変化する一例である。
【００７４】
受電側制御部１１８Ａは、送信波の受信状態が変化した場合（ステップＳ１０２＃：ＹＥＳ）、ＮＦＣリーダライタ１０８をオフからオンに遷移させ（ステップＳ１０４）、第１の実施形態と同様に、ステップＳ１０４以降の処理を行う。受電側制御部１１８Ａは、送信波の受信状態が変化しない場合（ステップＳ１０２＃：ＮＯ）、給電装置３００Ａが検出されていないため、本フローチャートの処理を終了する。
【００７５】
以上説明したように、第２の実施形態の非接触給電システム１Ａによれば、第１の実施形態の非接触給電システム１と同様に、給電装置３００ＡからＮＦＣ端末１００Ａに給電する場合におけるＮＦＣカード２００に対する影響を抑制することができる。
【００７６】
（第３の実施形態）
以下、第３の実施形態について説明する。なお、第１の実施形態と同じ部分については同一符号を付することにより詳細な説明を省略する。第３の実施形態の非接触給電システム１の構成については、図１を援用して説明する。
【００７７】
第３の実施形態の非接触給電システム１は、二次電池１１０に充電を開始する前に、ＮＦＣリーダライタ１０８を起動させてＮＦＣカード２００の探索を開始する点で、上述した実施形態とは異なる。以下、この点を中心に説明する。
【００７８】
図７は、第３の実施形態における充電時のＮＦＣ端末１００Ａの動作の一例を示すフローチャートである。二次電池１１０の充電を開始するために、給電装置３００およびＮＦＣ端末１００が起動した状態で、ＮＦＣ端末１００が給電装置３００に載置された状態から本フローチャートの処理を開始するものとする。給電装置３００が起動している状態において、給電装置３００は、給電準備モードをオンに設定し、電力給電モードをオフに設定した状態になっている（ステップＳ２００）。ＮＦＣ端末１００が起動した状態において、ＮＦＣリーダライタ１０８は、迅速にＮＦＣカード２００の近接を検出するため、起動しているオン状態となっている（ステップＳ１３０）。
【００７９】
ＮＦＣ端末１００は、給電装置３００からＮＦＣ端末１００に対する通信をモニタすると共に接続要求を受信する前から、ＮＦＣカード２００の近接の検出を開始（ステップＳ１３２）。ＮＦＣ端末１００は、ＮＦＣ端末１００は、通信をモニタした結果に基づいて、接続要求を受信したか否かを判定する（ステップＳ１３４）。ＮＦＣ端末１００は、接続要求を受信していない場合（ステップＳ１３４：ＮＯ）、本フローチャートの処理を終了する。
【００８０】
給電装置３００が接続要求を送信したことに応じて（ステップＳ２０２）、ＮＦＣ端末１００は、接続要求を受信した場合、給電装置３００から接続要求を受信したことを判定する（ステップＳ１３４：ＹＥＳ）。
【００８１】
次に、ＮＦＣ端末１００は、当該ＮＦＣ端末１００にＮＦＣカード２００が近接しているか否かを判定する（ステップＳ１０８）。ＮＦＣ端末１００は、ＮＦＣカード２００が近接している場合、第１の実施形態と同様に、ステップＳ１１２以降の処理を行う。ＮＦＣ端末１００は、ＮＦＣカード２００が近接していない場合、第１の実施形態と同様に、ステップＳ１１０以降の処理を行う。
【００８２】
以上説明した第３の実施形態の非接触給電システム１によれば、ＮＦＣ端末１００が給電装置３００から要求を受け付けたる前に、ＮＦＣ端末１００がＮＦＣカード２００の近接の検出を開始するので、給電装置３００から要求を受け付けた後、短時間でＮＦＣ端末１００のユーザにＮＦＣカード２００の除去などを通知することができる。これにより、非接触給電システム１によれば、給電装置３００からＮＦＣ端末１００に給電する場合におけるＮＦＣカード２００に対する影響を更に抑制することができる。
【００８３】
（変形例）
図８は、変形例の非接触給電システム１における充電時のＮＦＣ端末１００の動作の一例を示すフローチャートである。変形例の非接触給電システム１において、ＮＦＣ端末１００は、他装置として、ＮＦＣカード２００のみならず、スマートフォンなどの他のＮＦＣ端末も近接の検出を開始する（ステップＳ１０６＃、ステップＳ１０８＃）。ＮＦＣ端末１００は、スマートフォンなどの他のＮＦＣ端末を検出した場合、ＮＦＣカード２００の近接を検出した場合と同様に、ＮＦＣ端末の除去を通知する（ステップＳ１１２＃）。これにより、変形例の非接触給電システム１によれば、ＮＦＣ端末１００を充電している最中に、スマートフォンなどの他のＮＦＣ端末が故障することを回避することができる。
【００８４】
また、変形例の非接触給電システム１において、ＮＦＣ端末１００は、充電開始時からから充電終了時まで、他装置の近接の検出を開始し（ステップＳ１４０）、ＮＦＣ端末１００に他装置が近接している場合、二次電池１１０の充電を終了する（ステップＳ１１８：ＹＥＳ）。これにより、変形例の非接触給電システム１によれば、ＮＦＣ端末１００を充電している最中に、スマートフォンなどの他のＮＦＣ端末が給電装置３００に近づけられた場合に、当該他のＮＦＣ端末が故障することを抑制することができる。特に、給電装置３００が複数のＮＦＣ端末に対して同時に電力を給電する機能（能力）を備えている場合に、ＮＦＣ端末１００を充電するための強い電力を給電する電波が、ＮＦＣ端末１００に近づけられたＮＦＣ端末に受電されることで、当該ＮＦＣ端末が故障することを抑制することができる。
【００８５】
なお、本発明の一態様におけるＮＦＣ端末１００および給電装置３００において動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖe）等の各種ストレージに格納され、必要に応じてＣＰＵによって読み出し、修正・書き込みが行われても良い。
【００８６】
なお、上述した各実施形態や変形例におけるＮＦＣ端末１００および給電装置３００それぞれの一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００８７】
なお、ここでいう「コンピュータシステム」とは、ＮＦＣ端末１００および給電装置３００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８９】
また、上述した各実施形態や変形例におけるＮＦＣ端末１００、ＮＦＣカード２００および給電装置３００のそれぞれの一部、又は全部を典型的には集積回路であるＬＳＩとして実現してもよいし、チップセットとして実現してもよい。また、上述した各実施形態や変形例におけるＮＦＣ端末１００、ＮＦＣカード２００および給電装置３００の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【００９０】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【００９１】
例えば、上記各実施形態や各変形例の一部または全部を組み合わせることで本発明の一態様を実現してもよい。
【符号の説明】
【００９２】
１、１Ａ・・・非接触給電システム
１０・・・ケース
１００、１００Ａ・・・ＮＦＣ端末
１０２・・・受電コイル
１０４・・・受電処理部
１０６・・・受電側通信部
１０８・・・ＮＦＣリーダライタ
１０８ａ・・・ＮＦＣコイル
１０８ｂ・・・ＮＦＣ回路
１１０・・・二次電池
１１２・・・スピーカ
１１４・・・ＬＥＤ
１１６・・・ディスプレイ
１１８、１１８Ａ・・・受電側制御部
２００・・・ＮＦＣカード
２１０・・・ＮＦＣコイル
２１２・・・ＮＦＣ回路
２１４・・・記憶部
３００、３００Ａ・・・給電装置
３０２・・・給電コイル
３０４・・・給電側通信部
３０６・・・給電側制御部
【図１】
2019022307.tif 000003
【図２】
2019022307.tif 000004
【図３】
2019022307.tif 000005
【図４】
2019022307.tif 000006
【図５】
2019022307.tif 000007
【図６】
2019022307.tif 000008
【図７】
2019022307.tif 000009
【図８】
2019022307.tif 000010